(57)【要約】【課題】人が持ったような自然な状態で書籍を展示する。【解決手段】書籍Ｂが載置される載置部２に、矩形の平板状に形成された載置板１０と、書籍Ｂの地を係止する下端受板２０と、載置板１０の中央部に取り付けられて書籍Ｂの背側部分Ｂ２を把持する把持部３０と、載置板１０の左右端部に取り付けられて書籍Ｂの見開きＢ３に当接される一対のアーム部４０と、を設ける。そして、把持部３０は、書籍の背を嵩上げする嵩上部３１と、書籍Ｂの背側部分Ｂ２を挟み込む左側壁部３２及び右側壁部３３と、を設け、アーム部４０は、基端４０ａが裏面１０ｂに固定し、載置板１０の左右端の側方であって載置板１０の左右端から離間した位置を裏面１０ｂ側から表面１０ａ側に回りこみ、自由端４０ｂが表面１０ａの前方に配置する。【選択図】図２
2012210373.tif 000002
【特許請求の範囲】
【請求項１】
書籍を開いた状態で展示する書籍展示装置であって、
書籍が開いた状態で載置される載置板と、
前記載置板に設けられて、書籍の表紙の背側部分を把持する把持部と、
前記載置板に片持ち支持されて、自由端が書籍の見開きに当接される一対のアーム部と、
を有することを特徴とする書籍展示装置。
【請求項２】
前記把持部は、前記書籍の背を前記載置板から嵩上げして把持することを特徴とする、請求項１に記載の書籍展示装置。
【請求項３】
前記アーム部は、弾性体で構成されており、前記載置板の裏面に片持ち支持されて、前記載置板の左右端の側方から前記載置板の表面側に回りこむことを特徴とする、請求項１又は２に記載の書籍展示装置。
【発明の詳細な説明】
【技術分野】
【０００１】
本発明は、書籍を開いた状態で展示する書籍展示装置に関する。
【背景技術】
【０００２】
一般に、展覧会や博物館などで書籍の展示を行う際は、頁に書かれた文書や絵などを閲覧可能とするために、書籍を開いた状態で展示している。このとき、頁内容を閲覧可能としつつ、書籍が開いた状態を保持するための手段として、透明の錘を見開きに載せることや、テグスなどの細い紐状部材で見開きを押さえ付けること等が行われている（例えば、特許文献１，２参照）。
【先行技術文献】
【特許文献】
【０００３】
【特許文献１】特開２００１−０３７５５１号公報
【特許文献２】特開平１０−０５２９８８号公報
【発明の概要】
【発明が解決しようとする課題】
【０００４】
通常、人は、書籍を手に持って見たり読んだりしている。特に、片手で書籍を持つときは、書籍の背を手の平に載せ、親指とその他の指とで書籍の表表紙と裏表紙とを支えている。これにより、書籍は、表紙の背側部分が立ち上がるため、左右の見開きは、何れも、ノド部が立ち上がるとともに、小口部に向けて湾曲しながら垂れ下がる。このため、展示された書籍も、人が持ったような自然な状態で書籍が展示されていれば、より自然な状態で書籍を閲覧することができ、閲覧者に与える書籍の印象も変わってくる。
【０００５】
しかしながら、従来のように透明の錘や細い紐状部材を用いると、見開きの自然な凹凸を押し潰してしまうため、人が持ったような自然な状態で書籍を展示することができない。しかも、ノド部は糊や糸などで接合されて硬くなっているため、従来のように透明の錘や細い紐状部材を用いると、背側部分が押し倒されてしまい、人が持ったような自然な状態で書籍を展示することができない。
【０００６】
そこで、本発明は、人が持ったような自然な状態で書籍を展示することが可能な書籍展示装置を提供することを目的とする。
【課題を解決するための手段】
【０００７】
本発明に係る書籍展示装置は、書籍を開いた状態で展示する書籍展示装置であって、書籍が開いた状態で載置される載置板と、載置板に設けられて、書籍の表紙の背側部分を把持する把持部と、載置板に片持ち支持されて、自由端が書籍の見開きに当接される一対のアーム部と、を有することを特徴とする。
【０００８】
本発明に係る書籍展示装置によれば、把持部で書籍の表紙の背側部分を把持することで、擬似的に人が片手で書籍を持った状態を再現することができ、見開きがアーム部に当接されることで、書籍を開いた状態に保持することができる。しかも、見開きに当接されるのはアーム部の自由端であるため、アーム部により隠される見開きの面積を最小限に抑えることができる。このため、見開きの見易さを損なうことなく、書籍を開いた状態に保持することができる。
【０００９】
この場合、把持部は、書籍の背を載置板から嵩上げして把持することが好ましい。このように書籍の背を載置板から嵩上げすることで、書籍の左右端部に対して書籍の背を手前に引き寄せることができるため、更に、見開きの湾曲形状を、人が片手で書籍を持ったときの状態に近づけることができる。
【００１０】
また、アーム部は、弾性体で構成されており、載置板の裏面に片持ち支持されて、載置板の左右端の側方から載置板の表面側に回りこむことが好ましい。このように、書籍が載置されない載置板の裏面でアーム部を片持ち支持することで、載置板の表面全体を書籍の載置スペースとすることができる。更に、アーム部を載置板の裏面側から表面側に回り込ませることで、アーム部の弾性可動域を大幅に広げることができるため、載置板とアーム部との間に書籍を容易に挿入することができる。しかも、載置板の左右端とアーム部とを離間させることで、載置板よりも幅の広い書籍を載置板に載置することができる。
【発明の効果】
【００１１】
本発明によれば、見開きを閲覧可能としつつ、人が持ったような自然な状態で書籍を展示することができる。
【図面の簡単な説明】
【００１２】
【図１】実施形態に係る書籍展示装置の設置例を示す斜視図である。
【図２】図１に示す書籍展示装置を矢印ＩＩから見た図である。
【図３】図１に示す書籍展示装置を矢印ＩＩＩから見た図である。
【図４】書籍展示装置に対する書籍の設置手順を説明するための図である。
【図５】書籍展示装置に書籍が設置された状態を示す平面図である。
【図６】書籍展示装置に書籍が設置された状態を示す斜視図である。
【図７】他の例の書籍展示装置を示す斜視図である。
【発明を実施するための形態】
【００１３】
以下、図面を参照して、本発明に係る書籍展示装置の好適な実施形態について詳細に説明する。なお、全図中、同一又は相当部分には同一符号を付すこととする。
【００１４】
図１は、実施形態に係る書籍展示装置の設置例を示す斜視図である。図２は、図１に示す書籍展示装置を矢印ＩＩから見た図（平面図）である。図３は、図１に示す書籍展示装置を矢印ＩＩＩから見た図（側面図）である。図１〜図３に示すように、本実施形態に係る書籍展示装置１は、建物の壁面Ｗに設置されるものであり、書籍が載置される載置部２と、壁面Ｗに固定される固定部３と、載置部２と固定部３とを連結する連結部４と、を備える。
【００１５】
載置部２は、矩形の平板状に形成された載置板１０と、載置板１０の下端部に取り付けられた下端受板２０と、載置板１０の中央部に取り付けられた把持部３０と、載置板１０の左右端部に取り付けられた一対のアーム部４０と、を備える。
【００１６】
載置板１０は、書籍を開いた状態で載置するものである。載置板１０は、表面１０ａに書籍が載置されるとともに、裏面１０ｂに連結部４が連結されている。なお、載置板１０は、書籍を載置することができれば如何なる形状及び寸法であってもよい。例えば、載置板１０を、楕円の平板状や屈曲板状としてもよく、展示する書籍の大きさに合わせた寸法としてもよい。
【００１７】
下端受板２０は、書籍の地を係止して載置板１０から書籍が落下するのを防止するものである。下端受板２０は、載置板１０の下端縁から、表面１０ａに対して略垂直な方向に立設されている。下端受板２０の形成は、例えば、載置板１０の下端部を表面１０ａ側に屈曲することにより行ってもよく、載置板１０に長尺の薄板を溶接することにより行ってもよい。なお、下端受板２０は、少なくとも、書籍の背と左右の表紙の３点を係止することができれば、如何なる形状であってもよく、例えば、載置板１０の下端縁の全域に亘る細長い板状であってもよく、載置板１０の下端縁に間欠的に形成される棒状や短い板状であってもよい。
【００１８】
把持部３０は、書籍の表紙の背側部分を把持して、書籍のノド部を挟み込むものである。このため、把持部３０は、載置部２の中央部において載置部２の上下方向に延在する嵩上部３１と、嵩上部３１を挟んで左右に対向配置される一対の左側壁部３２及び右側壁部３３と、を備えている。
【００１９】
嵩上部３１は、書籍の背を載置部２に対して嵩上げするものである。嵩上部３１は、載置部２に固定されている。載置部２に対する嵩上部３１の固定は、如何なる手段を用いてもよく、例えば、溶接、接着、ネジ留めなどにより行うことができる。なお、載置部２に対する嵩上部３１の接合強度を上げるためには、嵩上部３１と載置部２との接合面を凸凹にして接合面積を増やし、溶接、接着、又は、接着及び溶接の双方を行うことが好ましい。
【００２０】
この嵩上部３１は、四角筒状に形成されており、載置板１０の表面１０ａと同じ方向に向けられて書籍の背に当接される表面３１ａと、表面３１ａの反対側に配置されて載置部２との接合面となる裏面３１ｂと、表面３１ａ及び裏面３１ｂに隣接されて左側壁部３２側に配置される左面３１ｃと、表面３１ａ及び裏面３１ｂに隣接されて右側壁部３３側に配置される右面３１ｄと、を備える。
【００２１】
嵩上部３１の高さ（裏面３１ｂから表面３１ａに至る寸法）は、書籍の背を下端受板２０で係止可能とするべく、下端受板２０の載置板１０に対する立設高さよりも低い寸法となっている。なお、嵩上部３１の高さに合わせて、下端受板２０の載置板１０に対する立設高さを設定してもよい。そして、嵩上部３１には、右面３１ｄから内部空間に貫通する１又は複数のネジ孔が形成されている。
【００２２】
嵩上部３１の幅（左面３１ｃから右面３１ｄに至る寸法）は、如何なる寸法であってもよく、展示する書籍の背の幅（背側部分の厚み）に応じて適宜設定することができる。なお、後述するように、左側壁部３２と右側壁部３３とで書籍の表紙の背側部分を把持するため、展示する書籍の背の幅（背側部分の厚み）よりも僅かに狭くすることが好ましい。
【００２３】
左側壁部３２及び右側壁部３３は、書籍の表紙の背側部分を把持するものである。左側壁部３２及び右側壁部３３は、載置板１０の表面１０ａに対して略垂直な方向に立設された長尺の板状に形成されている。左側壁部３２及び右側壁部３３の立設高さは、嵩上部３１に嵩上げされた書籍を把持可能とするべく、嵩上部３１の高さよりも高い寸法となっている。そして、嵩上部３１から突出した左側壁部３２及び右側壁部３３の先端部には、把持する書籍を保護するべく、対向する内面に、フェルトや発泡ゴムなどの緩衝材が貼付されている。
【００２４】
左側壁部３２は、嵩上部３１の左面３１ｃに固定されている。嵩上部３１に対する左側壁部３２の固定は、如何なる手段を用いてもよく、例えば、溶接、接着、ネジ留めなどにより行うことができる。なお、嵩上部３１に対する左側壁部３２の接合強度を上げるためには、嵩上部３１と左側壁部３２との接合面を凸凹にして接合面積を増やし、溶接、接着、又は、接着及び溶接の双方を行うことが好ましい。また、左側壁部３２は、嵩上部３１のみならず、載置板１０にも固定されてもよい。
【００２５】
右側壁部３３は、ネジ３５により、嵩上部３１の右面３１ｄに対して脱着可能かつ接離可能に取り付けられている。右側壁部３３には、嵩上部３１に形成された１又は複数のネジ孔に重ね合わされる位置に、ネジ３５が貫通する１又は複数の貫通孔が形成されている。このため、右側壁部３３の貫通孔を貫通させたネジ３５を嵩上部３１のネジ孔に螺合させることで、嵩上部３１に右側壁部３３を取り付けることができる。そして、嵩上部３１のネジ孔に対するネジ３５のねじ込み量を増やしていくと、右側壁部３３が嵩上部３１の右面３１ｄに近づいていくため、左側壁部３２と右側壁部３３との離間距離を縮めることができる。一方、嵩上部３１のネジ孔に対するネジ３５のねじ込み量を減らしていくと、右側壁部３３が嵩上部３１の右面３１ｄに離れていくため、左側壁部３２と右側壁部３３との離間距離を広げることができる。
【００２６】
アーム部４０は、見開きに当接されて、書籍を開いた状態に保持するものである。アーム部４０は、弾性体の線状部材によって、円の一部が欠けた円弧状に形成されている。このアーム部４０は、載置板１０に片持ち支持されている。すなわち、アーム部４０は、基端４０ａが裏面１０ｂに固定されており、載置板１０の左右端の側方であって載置板１０の左右端から離間した位置を裏面１０ｂ側から表面１０ａ側に回りこみ、自由端４０ｂが表面１０ａの前方に配置されている。これにより、自由端４０ｂが載置板１０に開かれた状態で載置された書籍の見開きの前方に配置されるため、載置板１０に載置された書籍は、見開きが自由端４０ｂに当接されることで、開かれた状態が保持される。なお、載置板１０の幅よりも、載置板１０に載置する書籍を開いた幅の方が狭い場合は、アーム部４０と載置板１０の左右端とを当接させてもよい。
【００２７】
ところで、書籍を開くと、書籍には見開きを閉じようとする力が発生する。このため、基端４０ａと自由端４０ｂとが、載置板１０の表面１０ａに対して垂直な方向の同一直線状に配置されておらず、また、基端４０ａが、載置板１０の裏面１０ｂに対して垂直な方向に向けられていないと、この見開きを閉じようとする力により、アーム部４０の基端４０ａに、載置板１０に対してアーム部４０を傾倒させようとする力が作用する。そこで、基端４０ａ及び自由端４０ｂを、載置板１０の表面１０ａに対して略垂直（垂直を含む）な方向の同一直線状に配置するとともに、基端４０ａを、載置板１０の裏面１０ｂに対して略垂直（垂直を含む）な方向に向けさせることが好ましい。
【００２８】
また、アーム部４０は、開いた書籍を表面１０ａと自由端４０ｂとの間に挿入し易くするために、自然状態のときに自由端４０ｂが載置板１０の表面１０ａに対して離間している。更に、自由端４０ｂが書籍の見開きを傷つけないように、書籍に当接される自由端４０ｂが、球状に形成されている。なお、表面１０ａと自由端４０ｂの離間距離は、表面１０ａと自由端４０ｂとの間に書籍を挿入しやすい寸法に適宜設定され、場合によっては、自然状態のときに自由端４０ｂが載置板１０の表面１０ａに当接させてもよい。
【００２９】
固定部３は、壁面に固定されるものであり、矩形の平板状に形成されている。壁面に対する固定部３の固定は、如何なる手段により行ってもよいが、様々な場所に設置することを考えると、ネジ留めにより行うことが好ましい。
【００３０】
連結部４は、固定部３に対して載置部２を支持するものである。連結部４は、載置部２を支持することができれば如何なる形状であってもよいが、載置部２の支持強度を高くする観点から、鉛直方向に沿って延びる板状に形成されていることが好ましい。また、連結部４は、載置板１０の表面１０ａが閲覧者に向くように、固定部３に対して載置部２を傾斜させて支持する。この場合、固定部３が壁面Ｗに固定される高さによって、閲覧者が載置板１０を見る角度が変わる。そこで、連結部４は、固定部３が壁面Ｗに固定される高さに応じて、固定部３に対する載置部２の傾斜角度を変えることが好ましい。この場合、連結部４は、固定部３に対する載置部２の傾斜角度を固定させてもよく、チルト機構などを設けて固定部３に対する載置部２の傾斜角度を可変させてもよい。
【００３１】
このように構成される書籍展示装置１の素材は、鉄、ステンレス、アルミなどの金属、樹脂、木など、如何なるものを用いてもよい。
【００３２】
次に、図４〜図６を参照して、書籍展示装置１に書籍を設置する手順について説明する。図４は、書籍展示装置に対する書籍の設置手順を説明するための図であり、図４（ａ）は、把持部が書籍を把持する前の状態を示しており、図４（ｂ）は、把持部が書籍を把持した状態を示している。図５は、書籍展示装置に書籍が設置された状態を示す平面図である。図６は、書籍展示装置に書籍が設置された状態を示す斜視図である。
【００３３】
まず、図４（ａ）に示すように、嵩上部３１と左側壁部３２とを螺合しているネジ３５を緩め、左側壁部３２と右側壁部３３との離間距離を広げる。そして、左側壁部３２と右側壁部３３との間に書籍Ｂを背Ｂ１側から挿入する。
【００３４】
次に、図４（ｂ）に示すように、書籍Ｂの背Ｂ１が嵩上部３１に当接されると、ネジ３５を締め、左側壁部３２と右側壁部３３との離間距離を狭める。すると、書籍Ｂの表紙の背側部分Ｂ２が、左側壁部３２と右側壁部３３とにより把持されて、書籍Ｂのノド部が、載置板１０に対して垂直な方向に立ち上がる。そして、この状態で、書籍Ｂの閲覧させる頁を開く。
【００３５】
次に、図５及び図６に示すように、開いた書籍Ｂの左右端を載置板１０の表面１０ａとアーム部４０の自由端４０ｂとの間に挿入する。このとき、書籍Ｂは、背Ｂ１が嵩上部３１により載置板１０に対して嵩上げされているため、見開きＢ３の両端部が背Ｂ１よりも奥に垂れ下がるような状態で、見開きＢ３の両端部がアーム部４０の自由端４０ｂに係止される。
【００３６】
以上説明したように、本実施形態に係る書籍展示装置１によれば、把持部３０で書籍Ｂの表紙の背側部分Ｂ２を把持することで、擬似的に人が片手で書籍Ｂを持った状態を再現することができ、見開きＢ３がアーム部４０の自由端４０ｂに当接されることで、書籍Ｂを開いた状態に保持することができる。しかも、見開きＢ３に当接されるのはアーム部４０の自由端４０ｂであるため、アーム部４０により隠される見開きＢ３の面積を最小限に抑えることができる。このため、見開きＢ３の見易さを損なうことなく、書籍Ｂを開いた状態に保持することができる。
【００３７】
また、嵩上部３１により書籍Ｂの背Ｂ１を載置板１０から嵩上げすることで、書籍Ｂの左右端部に対して書籍Ｂの背Ｂ１を手前に引き寄せることができるため、更に、見開きＢ３の湾曲形状を、人が片手で書籍Ｂを持ったときの状態に近づけることができる。
【００３８】
また、載置板１０の裏面１０ｂ側でアーム部４０を片持ち支持することで、載置板１０の表面１０ａ全体を書籍Ｂの載置スペースとすることができる。更に、アーム部４０を載置板１０の裏面１０ｂ側から表面１０ａ側に回り込ませることで、アーム部４０の弾性可動域を大幅に広げることができるため、載置板１０とアーム部４０との間に書籍Ｂを容易に挿入することができる。しかも、載置板１０の左右端とアーム部４０とを離間させることで、載置板１０よりも幅の広い書籍Ｂを載置板１０に載置することができる。
【００３９】
以上、本発明の好適な実施形態について説明したが、本発明は上記実施形態に限定されるものではない。例えば、上記実施形態において、把持部は、ネジ３５により左側壁部３２と右側壁部３３との離間距離を縮めて書籍の背側部分を把持するものとして説明したが、書籍の背側部分を把持することができれば、如何なる手段を採用してもよく、例えば、クリップなどの弾性部材により書籍の背側部分を把持してもよい。
【００４０】
また、上記実施形態において、把持部は、嵩上部３１を備えることで、書籍の背を載置板１０から嵩上げして把持するものとして説明したが、嵩上部３１の代わりに、左側壁部３２及び右側壁部３３に書籍の背が係止される段部を形成するなどして、書籍の背を載置板１０から嵩上げして把持してもよい。
【００４１】
また、上記実施形態では、載置部２が固定部３及び連結部４により建物の壁面に設置されるものとして説明したが、固定部３及び連結部４を備えることなく、展示台などに載置部２のみが載置されるものとしてもよい。
【００４２】
また、上記実施形態では、１つの固定部３に対して１つの載置部２が連結されるものとして説明したが、図７に示すように、１つの固定部３に対して複数の載置部２が連結されるものとしてもよい。図７は、他の例の書籍展示装置を示す斜視図である。図７に示す書籍展示装置５は、壁面Ｗに固定される固定部６が、上下方向に長い矩形の平板状に形成されている。そして、３つの載置部７ａ〜７ｃが、３つの連結部８ａ〜８ｃにより、上下方向に並べて固定部６に連結されるとともに、固定部６に対する傾斜角度が変えられている。すなわち、連結部８ａ〜８ｃは、上から下に向かうに従い、固定部６と載置部７ａ〜７ｃとの連結長さが長くなるとともに、載置部７ａ〜７ｃを上向きに傾斜させている。このように構成することで、全体の統一感を図ることができるとともに、壁面Ｗへの取り付け作業性を向上させることができる。
【００４３】
なお、アーム部の形状は、デザイン的な観点から、円弧状であることが好ましいが、楕円弧状、多角形状など、様々な形状を採用することができる。また、また、把持部３０は、作業性の観点から、載置板１０の上下方向に連続的に延在することが好ましいが、載置板１０の上下方向に間欠的に延在するようにしてもよい。
【符号の説明】
【００４４】
１…書籍展示装置、２…載置部、３…固定部、４…連結部、５…書籍展示装置、６…固定部、７ａ〜７ｃ…載置部、８ａ〜８ｃ…連結部、１０…載置板、１０ａ…表面、１０ｂ…裏面、２０…下端受板、３０…把持部、３１…嵩上部、３１ａ…表面、３１ｂ…裏面、３１ｃ…左面、３１ｄ…右面、３２…左側壁部、３３…右側壁部、３４…ネジ孔、３５…ネジ、３６…貫通孔、４０…アーム部、４０ａ…基端、４０ｂ…自由端、Ｂ…書籍、Ｂ１…背、Ｂ２…背側部分、Ｗ…建物の壁面。
【図１】
2012210373.tif 000003
【図２】
2012210373.tif 000004
【図３】
2012210373.tif 000005
【図４】
2012210373.tif 000006
【図５】
2012210373.tif 000007
【図６】
2012210373.tif 000008
【図７】
2012210373.tif 000009